(57)【要約】【課題】洗浄用温水を供給する温水タンクを便座装置の本体に内蔵したものにあって、この温水タンクよりの放熱を可及的に抑制して効率を高めることを目的とする。【解決手段】便座装置の本体４に内蔵した温水タンク７の上方に、ポッテイング材１３でポッテイングされるとともに、ケース１４に収納したプリント基板８を配設したものである。温水タンク７の熱は上方へ逃げやすいが、ここにはケース１４、ポッテイング材１３、プリント基板８が存在し、逃げようとする熱を遮蔽する。したがって、熱効率の向上が図られ、省エネとなるものである。【選択図】図３
2006336301.tif 000002
【特許請求の範囲】
【請求項１】
便器と、この便器上に設けられるとともに、本体およびこの本体に起倒自在に枢設された便座を有し、かつ少なくとも温水洗浄手段を配備した便座装置とを具備し、前記本体内には洗浄手段へ温水を供給する温水タンク、この温水タンクの上方に位置する制御用プリント基板を内設し、これら温水タンクと制御用プリント基板との間には断熱材を介在させたトイレ装置。
【請求項２】
温水タンクの外側面を断熱材で覆った請求項１記載のトイレ装置。
【請求項３】
プリント基板をケース内に収納した請求項１記載のトイレ装置。
【請求項４】
プリント基板をポッテイング材でポッテイングしてケース内に収納した請求項３記載のトイレ装置。
【請求項５】
断熱材を発泡スチロールで形成した請求項１または２記載のトイレ装置。
【発明の詳細な説明】
【技術分野】
【０００１】
本発明は、少なくとも温水洗浄機能付の便座装置を備えたトイレ装置に関するものである。
【背景技術】
【０００２】
従来、この種のトイレ装置は、便器上に便座装置を設けて構成されており、この便座装置は、本体およびこの本体に起倒自在に枢設された便座を有し、かつ少なくとも温水洗浄手段を具備したものであった。そして、前記本体内には洗浄手段へ温水を供給する温水タンクが内蔵され、特別に本体に設けた袖部に制御用のプリント基板が収納されていた（例えば、特許文献１参照）。
【特許文献１】特開２００４−３２６４号公報
【発明の開示】
【発明が解決しようとする課題】
【０００３】
しかしながら、前記従来の構成では、温水タンク内の熱がその外殻から直接放熱されるため、放熱ロスが大きいという課題を有していた。
【０００４】
本発明は、前記従来の課題を解決するもので、温水タンクでの温水保温を確実に行うことで放熱ロスを可及的に抑えることで、効率の良いトイレ装置を提供することを目的とする。
【課題を解決するための手段】
【０００５】
前記従来の課題を解決するために、本発明のトイレ装置は、便器と、この便器上に設けられるとともに、本体およびこの本体に起倒自在に枢設された便座を有し、かつ少なくとも温水洗浄手段を配備した便座装置とを具備し、前記本体内には洗浄手段へ温水を供給する温水タンク、この温水タンクの上方に位置する制御用プリント基板を内設し、これら温水タンクと制御用プリント基板との間には断熱材を介在させたものである。
【０００６】
これによって、温水保温時に上部へ放散されやすい熱が、断熱材とプリント基板によって遮断されることとなる。
【発明の効果】
【０００７】
本発明のトイレ装置は、温水タンクで温水を保温している時に、上部へ放散されやすい熱が断熱材とプリント基板によって遮断されるので、放熱ロスが少なくなり、その分、熱効率の向上が図れるものである。
【発明を実施するための最良の形態】
【０００８】
第１の発明は、便器と、この便器上に設けられるとともに、本体およびこの本体に起倒自在に枢設された便座を有し、かつ少なくとも温水洗浄手段を配備した便座装置とを具備し、前記本体内には洗浄手段へ温水を供給する温水タンク、この温水タンクの上方に位置する制御用プリント基板を内設し、これら温水タンクと制御用プリント基板との間には断熱材を介在させたもので、温水タンクで温水を保温している時に、上部へ放散されやすい熱がこれら断熱材とプリント基板によって遮断される。
【０００９】
第２の発明は、特に第１の発明の温水タンクの外側面をさらに断熱材で覆ったもので、これにより温水タンク側方への熱放散も抑えることができる。
【００１０】
第３の発明は、特に第１の発明プリント基板をケース内に収納し、このケースにも熱遮断機能を発揮させるようにした。
【００１１】
第４の発明は、特に第３の発明のプリント基板をポッテイング材でポッテイングしてケース内に収納した。したがって、プリント基板での結露発生がなく、しかもこのポッテイング材にも熱遮断機能を期待することができる。
【００１２】
前記断熱材を発泡スチロールで形成すれば、施工がしやすく、確実な断熱効果を期待することができるものである。
【００１３】
以下、本発明の実施の形態について、図面を参照しながら説明する。なお、この実施の形態によって本発明が限定されるものではない。
【００１４】
（実施の形態１）
図１〜３において、便器１の上に配置された便座装置２は、便座３と、この便座３を起倒自在に枢設した横長の本体４とからなり、少なくとも温水を噴出して人体局部を洗浄する温水洗浄手段を具備するものである。その他、便座３には必要に応じて暖房手段が装備してある。
【００１５】
前記本体４は横長状のもので、便器１の後方に固定されており、温水洗浄手段を構成する２本の洗浄ノズル５，６、これら洗浄ノズル５，６に温水を供給する温水タンク７、および制御用のプリント基板８が内設してある。
【００１６】
この温水タンク７の底部には途中に制御弁９を介在させた給水路１０が接続され、また内部底方には加熱源１２が設けてある。そして、前記加熱源１２により温水タンク７内の水が加熱されて温水となり、その後保温されるようになっている。
【００１７】
図示しない洗浄釦などを操作することにより、制御弁９が開かれて給水路１０から冷水が温水タンク７の下層部に導入され、その分の温水が温水タンク７の上層部から洗浄ノズル５，６に送られるよになっている。したがって、洗浄ノズル５または６から人体の被洗浄部位に向けて温水が噴出されて洗浄が行われることとなる。
【００１８】
前記プリント基板８は結露を防ぐ目的のためにポッテイング材１３でポッテイングしてケース１４内に収納されており、前記温水タンク７の上部に配置してある。
【００１９】
前記ケース１４と温水タンク７の頂面との間には断熱材１５が設けてあり、また温水タンク７の外側面も断熱材１６で覆われている。これら断熱材１５，１６は、例えば、発泡
スチロールで形成されている。
【００２０】
上記の構成において、先にも述べたように温水タンク７に供給された水は加熱源１２で加熱されて温水となり、所定の温度に保温されるようになっている。
【００２１】
そして、この温水タンク７はその貯面および外側面が断熱材１５，１６で覆われているため、熱の散失が抑制され、効率よく温水化、および保温が行えるものである。
【００２２】
特に、熱が逃げやすい温水タンク７の上方にあっては、前記断熱材１５のほか、プリント基板８、それを収納したケース１４、並びにポッテイング材１３もある種の熱遮断機能を発揮し、熱散失を確実に抑えることとなる。
【００２３】
このように、本実施の形態で紹介したトイレ装置によれば、温水タンク７の熱損失が少なく、効率的な湯沸し、および保温ができるものである。
【産業上の利用可能性】
【００２４】
以上のように、本発明にかかるトイレ装置は、温水タンクの放熱を防ぐことができるので、温水器など、他の水機器の温水タンクなどの用途にも適用できる。
【図面の簡単な説明】
【００２５】
【図１】本発明の実施の形態１におけるトイレ装置の斜視図
【図２】同便座装置における本体の斜視図
【図３】同温水タンク付近の断面図
【符号の説明】
【００２６】
１  便器
２  便座装置
３  便座
４  本体
７  温水タンク
８  プリント基板
１３  ポッテイング材
１４  ケース
１５，１６  断熱材
【図１】
2006336301.tif 000003
【図２】
2006336301.tif 000004
【図３】
2006336301.tif 000005